(57)【要約】【課題】パスのディスカバリ処理を高速に行うこと。【解決手段】パス情報をパス管理情報データベースとして管理するネットワーク管理システム１００であって、伝送装置３００から警報復旧通知を受信する通信処理部と、パス管理情報データベースを有し、かつ警報復旧通知を到着順に蓄積する記憶装置と、警報復旧通知の時刻情報を基にパス情報を生成し、パス管理情報データベースを更新するＣＰＵと、を備え、ＣＰＵは、警報復旧通知のうち、一定時間内に集中して通知された通知を同一パスからの通知と判定し、この通知の検出部位を、このパスの経路と認識し、この通知の検出部位からパス情報を生成し、このパス情報でパス管理情報データベースを更新する。【選択図】図２
2010171866.tif 000002
【特許請求の範囲】
【請求項１】
伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理システムであって、
前記伝送装置から前記警報復旧通知を受信する通信処理部と、
前記パス管理情報データベースを有し、かつ前記警報復旧通知を到着順に蓄積する記憶装置と、
前記警報復旧通知の時刻情報を基に前記パス情報を生成し、前記パス管理情報データベースを更新するＣＰＵと、
を備え、
前記ＣＰＵは、前記警報復旧通知のうち、一定時間内に集中して通知された通知を同一パスからの通知と判定し、該通知の検出部位を、該パスの経路と認識し、該通知の検出部位からパス情報を生成し、該パス情報で前記パス管理情報データベースを更新することを特徴とするネットワーク管理システム。
【請求項２】
前記ＣＰＵは、前記伝送装置のパス障害の復旧検出時間の最大遅延時間性能（Ｔｄ）を基準に、前記警報復旧通知の全ての通知時間間隔（Ｔｓ）を測定し、前記警報復旧通知のうち前記通知時間間隔（Ｔｓ）が前記最大遅延時間性能（Ｔｄ）内に収まる全ての連続した警報復旧通知を、同一パスに所属するものと判定することを特徴とする請求項１に記載のネットワーク管理システム。
【請求項３】
前記ＣＰＵは、
前記警報復旧通知のうち、新たに受信した警報復旧通知に付与されている検出時刻情報と、該新たに受信した警報復旧通知の直前に受信した警報復旧通知に付与されている検出時刻情報との比較を行い、これら検出時刻情報の時間差が、前記最大遅延時間性能（Ｔｄ）以内の場合、該新たに受信した警報復旧通知を前記記憶装置に記録し、さらに新たな警報復旧通知の受信処理を繰り返し、前記時間差が前記最大遅延時間性能（Ｔｄ）以内の場合は、該さらに新たに受信した警報復旧通知を前記記憶装置へ累積的に記録し、
前記時間差が前記最大遅延時間性能（Ｔｄ）を超える場合は、前記記憶装置に累積的に記録された警報復旧通知の検出部位情報からパス情報を生成し、
該パス情報が、前記パス管理情報データベースに記録された既知のパス情報であるかどうかの照合を行い、該パス情報が未知のパス情報である場合、該パス情報で前記パス管理情報データベースの更新を行うことを特徴とする請求項２に記載のネットワーク管理システム。
【請求項４】
前記警報復旧通知に代えて、前記伝送装置に設定済みのパス情報に基づいて模擬発生させたパス警報を検知し、収集することにより、パス情報を取得し、該パス情報を前記パス管理情報データベースで管理することを特徴とする請求項１乃至３のいずれか１項に記載のネットワーク管理システム。
【請求項５】
伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理方法であって、
前記伝送装置から前記警報復旧通知を受信する通信処理手順と、
前記警報復旧通知を到着順に蓄積する記憶手順と、
前記警報復旧通知の時刻情報を基に前記パス情報を生成する演算手順と、
該生成したパス情報で前記パス情報データベースを更新する更新手順と、
を備え、
前記演算手順は、前記警報復旧通知のうち、一定時間内に集中して通知された通知を同一パスからの通知と判定し、該通知の検出部位を、該パスの経路と認識し、該通知の検出部位からパス情報を生成することを特徴とするネットワーク管理方法。
【請求項６】
前記演算手順は、前記伝送装置のパス障害の復旧検出時間の最大遅延時間性能（Ｔｄ）を基準に、前記警報復旧通知の全ての通知時間間隔（Ｔｓ）を測定し、前記警報復旧通知のうち前記通知時間間隔（Ｔｓ）が前記最大遅延時間性能（Ｔｄ）内に収まる全ての連続した警報復旧通知を、同一パスに所属するものと判定することを特徴とする請求項５に記載のネットワーク管理方法。
【請求項７】
前記演算手順は、
前記警報復旧通知のうち、新たに受信した警報復旧通知に付与されている検出時刻情報と、該新たに受信した警報復旧通知の直前に受信した警報復旧通知に付与されている検出時刻情報との比較を行い、これら検出時刻情報の時間差が、前記最大遅延時間性能（Ｔｄ）以内の場合、該新たに受信した警報復旧通知を前記記憶装置に記録し、さらに新たな警報復旧通知の受信処理を繰り返し、前記時間差が前記最大遅延時間性能（Ｔｄ）以内の場合は、該さらに新たに受信した警報復旧通知を前記記憶手順で累積的に記録させ、
前記時間差が前記最大遅延時間性能（Ｔｄ）を超える場合は、前記記憶手順で累積的に記録させた警報復旧通知の検出部位情報からパス情報を生成し、
該パス情報が、前記パス管理情報データベースに記録された既知のパス情報であるかどうかの照合を行い、
前記更新手順は、該パス情報が 未知のパス情報である場合、該パス情報で前記パス管理情報データベースの更新を行うことを特徴とする請求項６に記載のネットワーク管理方法。
【請求項８】
前記警報復旧通知に代えて、前記伝送装置に設定済みのパス情報に基づいて模擬発生させたパス警報を検知し、収集することにより、パス情報を取得し、該パス情報を前記パス管理情報データベースで管理することを特徴とする請求項５乃至７のいずれか１項に記載のネットワーク管理方法。
【請求項９】
伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理プログラムであって、
前記伝送装置から前記警報復旧通知を受信する通信処理処理と、
前記警報復旧通知を到着順に蓄積する記憶処理と、
前記警報復旧通知の時刻情報を基に前記パス情報を生成する演算処理と、
該生成したパス情報で前記パス情報データベースを更新する更新処理と、
をコンピュータに実行させ、
前記演算処理は、前記警報復旧通知のうち、一定時間内に集中して通知された通知を同一パスからの通知と判定し、該通知の検出部位を、該パスの経路と認識し、該通知の検出部位からパス情報を生成することを特徴とするネットワーク管理プログラム。
【請求項１０】
前記演算処理は、前記伝送装置のパス障害の復旧検出時間の最大遅延時間性能（Ｔｄ）を基準に、前記警報復旧通知の全ての通知時間間隔（Ｔｓ）を測定し、前記警報復旧通知のうち前記通知時間間隔（Ｔｓ）が前記最大遅延時間性能（Ｔｄ）内に収まる全ての連続した警報復旧通知を、同一パスに所属するものと判定することを特徴とする請求項９に記載のネットワーク管理プログラム。
【請求項１１】
前記演算処理は、
前記警報復旧通知のうち、新たに受信した警報復旧通知に付与されている検出時刻情報と、該新たに受信した警報復旧通知の直前に受信した警報復旧通知に付与されている検出時刻情報との比較を行い、これら検出時刻情報の時間差が、前記最大遅延時間性能（Ｔｄ）以内の場合、該新たに受信した警報復旧通知を前記記憶装置に記録し、さらに新たな警報復旧通知の受信処理を繰り返し、前記時間差が前記最大遅延時間性能（Ｔｄ）以内の場合は、該さらに新たに受信した警報復旧通知を前記記憶処理で累積的に記録させ、
前記時間差が前記最大遅延時間性能（Ｔｄ）を超える場合は、前記記憶処理で累積的に記録させた警報復旧通知の検出部位情報からパス情報を生成し、
該パス情報が、前記パス管理情報データベースに記録された既知のパス情報であるかどうかの照合を行い、
前記更新処理は、該パス情報が 未知のパス情報である場合、該パス情報で前記パス管理情報データベースの更新を行うことを特徴とする請求項１０に記載のネットワーク管理プログラム。
【請求項１２】
前記警報復旧通知に代えて、前記伝送装置に設定済みのパス情報に基づいて模擬発生させたパス警報を検知し、収集することにより、パス情報を取得し、該パス情報を前記パス管理情報データベースで管理することを特徴とする請求項９乃至１１のいずれか１項に記載のネットワーク管理プログラム。
【発明の詳細な説明】
【技術分野】
【０００１】
本発明は、ネットワーク管理システムにおけるパス情報のディスカバリ機能の実現方式として、パスの開通制御を行う過程で、パス経路上の各装置から過渡的にパス障害が検出され、最終的に全ての開通制御が完了する時点で、同時にすべてのパス障害が復旧するというパス警報通知に関する特性を利用して、ネットワーク管理システムにおいて収集されるパス障害復旧通知のうち、短時間に集中して通知される警報復旧通知からパス情報を生成することにより、パスのディスカバリ処理を高速に行うことを可能とするネットワーク管理システム、その方法及びそのプログラムを提供することに関する。
【背景技術】
【０００２】
クライアント信号を波長多重して伝送を行うＷＤＭ（Wavelength Division Multiplex ）ネットワークシステムに代表される基幹伝送システムにおいては、光クロスコネクト機能によるサービスのネットワーク上での経路をパス情報としてサービスごとに管理する必要がある。
【０００３】
通常は、経路制御であるパスの開通制御はネットワーク管理システムからパス経路上の装置に対して集中制御が行われ、また、これらのパス情報は、ネットワーク管理システム内のデータベースで一元管理されている。
【０００４】
しかしながら、装置の保守端末からパス開通制御が行われた場合、ネットワーク管理システムでは、これらのパス情報が認識できず、実際の装置の設定状態とネットワーク管理システム内のパス情報とが不一致を生じる場合がある。
【０００５】
この場合、ネットワーク管理システム内のパス情報を、実際の装置の設定状態と一致させるように編集する保守作業が必要となる。
【０００６】
そこで、ネットワーク管理システムにおいては、これらの不一致を解消する機能として、ネットワーク管理システム内のパス情報と装置の経路制御状態のマッチング及び合わせこみを行う機能（ディスカバリ機能）を持つ。この種の発明が、特許文献１において開示されている。
【先行技術文献】
【特許文献】
【０００７】
【特許文献１】特開２００８−２４４５５３号公報
【発明の概要】
【発明が解決しようとする課題】
【０００８】
しかしながら、これらのマッチング処理については、ネットワーク規模の増大によって、走査範囲が広くなり、従来の装置状態をネットワーク管理システムがすべてを読み出して処理を行う方式では、不一致が解消されるまでのリアルタイム性の低下につながるという問題があった。
【０００９】
特に、特許文献１に開示されている発明は、受信した制御情報を解析する際に、障害パスの復旧に係るものとそうでないものとを識別せずにいるので、一連の処理が煩雑であり、パスのディスカバリ処理が遅延するという問題点がある。
【００１０】
本発明は上記に鑑みてなされたもので、パスのディスカバリ処理を高速に行うことを可能とするネットワーク管理システム、その方法及びそのプログラムを提供することを目的とする。
【課題を解決するための手段】
【００１１】
上述の問題を解決するため、本発明に係るネットワーク管理システムは、伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理システムであって、前記伝送装置から前記警報復旧通知を受信する通信処理部と、前記パス管理情報データベースを有し、かつ前記警報復旧通知を到着順に蓄積する記憶装置と、前記警報復旧通知の時刻情報を基に前記パス情報を生成し、前記パス管理情報データベースを更新するＣＰＵと、を備え、前記ＣＰＵは、前記警報復旧通知のうち、一定時間内に集中して通知された通知を同一パスからの通知と判定し、該通知の検出部位を、該パスの経路と認識し、該通知の検出部位からパス情報を生成し、該パス情報で前記パス管理情報データベースを更新することを特徴とする。
【００１２】
上述の問題を解決するため、本発明に係るネットワーク管理方法は、伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理方法であって、前記伝送装置から前記警報復旧通知を受信する通信処理手順と、前記警報復旧通知を到着順に蓄積する記憶手順と、前記警報復旧通知の時刻情報を基に前記パス情報を生成する演算手順と、該生成したパス情報で前記パス情報データベースを更新する更新手順と、を備え、前記演算手順は、前記警報復旧通知のうち、一定時間内に集中して通知された通知を同一パスからの通知と判定し、該通知の検出部位を、該パスの経路と認識し、該通知の検出部位からパス情報を生成することを特徴とする。
【００１３】
上述の問題を解決するため、本発明に係るネットワーク管理プログラムは、伝送路と複数の伝送装置とを有し、前記複数の伝送装置は前記伝送路及び前記複数の伝送装置の他のものを介して相互に接続され、前記複数の伝送装置にはそれぞれ保守端末が接続され、前記保守端末は非同期に経路制御であるパス開通制御をするネットワークシステムにおいて、前記保守端末が前記パス開通制御を行った場合に、前記パス開通制御に係る前記伝送装置からの警報復旧通知を収集することにより、前記パス開通制御によるパス情報を取得し、該パス情報をパス管理情報データベースとして管理するネットワーク管理プログラムであって、前記伝送装置から前記警報復旧通知を受信する通信処理処理と、前記警報復旧通知を到着順に蓄積する記憶処理と、前記警報復旧通知の時刻情報を基に前記パス情報を生成する演算処理と、該生成したパス情報で前記パス情報データベースを更新する更新処理と、をコンピュータに実行させ、前記演算処理は、前記警報復旧通知のうち、一定時間内に集中して通知された通知を同一パスからの通知と判定し、該通知の検出部位を、該パスの経路と認識し、該通知の検出部位からパス情報を生成することを特徴とする。
【発明の効果】
【００１４】
本発明によれば、前記警報復旧通知のうち、一定時間内に集中して通知された通知を同一パスからの通知と判定し、該通知の検出部位を、該パスの経路と認識し、該通知の検出部位からパス情報を生成することにより、パスのディスカバリ処理を高速に行うことを可能とするネットワーク管理システム、その方法及びそのプログラムを提供することができる。
【図面の簡単な説明】
【００１５】
【図１】本発明に係るネットワークシステムの概略図である。
【図２】本発明に係るネットワーク管理システムの動作シーケンスの図である。
【図３】本発明における第１の実施の形態に係る波長多重分割伝送システムの構成図である。
【図４】ネットワーク管理システムによるパスのディスカバリ機能の動作を示すフローチャートである。
【発明を実施するための形態】
【００１６】
［第１の実施の形態の構成］
ここで、図１は、本発明に係るネットワークシステムの概略図である。本発明に係るネットワークシステムは、伝送路と複数の伝送装置とを有し、これら複数の伝送装置は伝送路及び他の伝送装置を介して相互に接続されている。
【００１７】
特に、本発明に係るネットワークシステムは、クライアント信号を波長多重して伝送を行うＷＤＭ（Wavelength Division Multiplex）ネットワークシステムに代表される基幹伝送システムであって、伝送路は光ファイバ等の媒体であり、伝送装置は光クロスコネクト機能を有するルータ等の通信機器である。
【００１８】
この図１において、各伝送装置の保守端末からは非同期に経路制御であるパス開通制御（伝送装置１〜伝送装置２〜伝送装置５）が行われている。ネットワーク管理システムは、全伝送装置からのパス障害の復旧通知を収集することにより、パス開通制御による経路情報であるパス情報を取得し、このパス情報をパス管理情報データベースで管理する。
【００１９】
このネットワーク管理システムは、一定時間内に集中して通知されるパス障害復旧通知を同一パスからの通知と判定し、当該警報の検出部位を、そのパスの経路と認識し、その経路の情報をパス情報として、ネットワーク管理システム内のパス管理情報データベースを更新するものである。
【００２０】
図２は、本発明に係るネットワーク管理システムの動作シーケンスの図である。この図２において、各装置の保守端末からパス開通制御（伝送装置１〜伝送装置２〜伝送装置５）が行う場合、パスの経路上の装置に対してパスの開通制御は、保守端末から非同期に行われることとなる。
【００２１】
ここで、各伝送装置では、開通制御が行われた伝送装置から当該パスの障害監視を開始するが、全ての伝送装置への開通制御が完了するまでは、エンドツーエンドでの伝送処理が不完全であり、パス開通制御を開始した装置から始めて、全てのパス経路上の装置の設定が完了するまでの間、経路上の各装置から図２の障害検出に相当するパス障害が継続して検出されることとなる。
【００２２】
又、最終の装置（図２では伝送装置５）のパス開通制御が完了した時点でも、エンドツーエンドでのフレーム同期処理が完了するまでの一定時間、パス障害を検出し、その後、障害復旧を通知することとなる（図２では、警報復旧通知）。この結果、ネットワーク管理システムには、保守端末から各装置へのパスの開通制御が全て完了した時点で、経路上の全ての装置からのパス警報の復旧通知が一斉に行われることとなる。
【００２３】
本発明では、このようなパスの開通手順の過程における、パス障害の通知に関する特性を利用し、前述のような経路上の全ての装置から一斉に行われる警報復旧通知を基にパス情報のディスカバリ機能を実現する。
【００２４】
本発明では、伝送装置のパス障害の復旧検出時間の最大遅延時間性能（Ｔｄ）を基準に、ネットワーク管理システムに通知される全てのパス障害復旧の通知時間間隔（Ｔｓ）を測定し、通知時間間隔（Ｔｓ）が最大遅延時間性能（Ｔｄ）内に収まる全ての連続したパス障害復旧通知を、同一パスに所属するものと判定する。又、それらのパス障害通知の検出部位を経路情報として認識し、パス管理情報データベースの更新を行うことにより、パスのディスカバリ機能を実現するものである。
【００２５】
図３は、本発明の第１の実施の形態に係る波長多重分割伝送システムの構成図である。
【００２６】
この図３において、波長多重分割伝送システムは、ネットワーク管理システム１００、伝送装置２００及び保守端末３００を備える。
【００２７】
受信伝送装置２００は、信号処理部２０１、時刻情報部２０２及び警報通知部２０３を有し、保守端末３００からのパス開通制御によって、信号処理部２０１でパス信号処理を開始するとともに、当該パス信号の障害監視処理を開始する。このため、複数の装置にまたがるパス経路上の全ての装置のパス開通制御が完了していない状態では、信号処理部２０１において常にパス信号の障害を検出し、パス障害警報を警報通知部を介して、ネットワーク管理システムに通知する。
【００２８】
パス障害警報の警報通知は、時刻情報部２０２により、パス障害の発生・復旧を検出した時刻を通知するが、本発明においては、各装置間で時刻同期が行われていることが前提となる。時刻同期の方法については、当業者にとってよく知られており、また本発明と直接関係しないので、その詳細な構成は省略する。また、パス警報の検出部位が、パス設定が不完全な装置のみにとどまらず、全てのパス経路上の装置から警報検出が行われる動作については、前方警報通知機能“ＦＤＩ（Forward Defect Indication）”、後方警報通知機能“ＢＤＩ（Backward Defect Indication）”として、本発明の属する分野における通常の知識を有する者にとってよく知られており、かつ本発明とは直接関係しないので、その詳細な構成は省略する。
【００２９】
ネットワーク管理システムは１００は、ＣＰＵ（Central Processing Unit）１０１、記憶装置１０２及び通信処理部１０３を備える。
【００３０】
ネットワーク管理システム１００は、パスのディスカバリ処理として伝送装置２００から警報復旧通知を通信処理部１０３で受信し、記憶装置１０２に到着順に蓄積し、ＣＰＵ１０１は警報復旧通知の時刻情報を基に、パス毎のグルーピングを行った後、パス情報を生成し、記憶装置１０２内にあるパス管理情報データベースを更新する。
【００３１】
図３において図示していないが、ＣＰＵ１０１は、新たに受信した警報復旧通知に付与されている検出時刻情報と、その新たに受信した警報復旧通知の直前に受信した警報復旧通知に付与されている検出時刻情報との比較を行い、これら検出時刻情報の時間差が、最大遅延時間性能（Ｔｄ）以内の場合、新たに受信した警報復旧通知を記憶装置１０２に記録し、さらに新たな警報復旧通知の受信処理を繰り返し、この時間差が前記最大遅延時間性能（Ｔｄ）以内の場合は、さらに新たに受信した警報復旧通知を記憶装置１０２へ累積的に記録し、この時間差が最大遅延時間性能（Ｔｄ）を超える場合は、記憶装置１０２に累積的に記録された警報復旧通知の検出部位情報からパス情報を生成し、このパス情報が、記憶装置１０２が有するパス管理情報データベースに記録された既知のパス情報であるかどうかの照合を行い、未知のパス情報である場合、記憶装置１０２が有するパス管理情報データベースの更新を行うことをプログラム又は回路によって実現している。
【００３２】
［第１の実施の形態の動作］
次に図３のネットワーク管理システムによるパスのディスカバリ機能の動作を図４に示すフローチャートを使用して説明する。
【００３３】
図４において、警報通知が受信されると（ステップＳ４０１）、まず、警報復旧通知である場合のみ（ステップＳ４０２：Ｙｅｓ）、当該警報が有する検出部位情報を記憶装置１０２に記録する（ステップＳ４０３）。警報復旧通知ではないときは（ステップＳ４０２：Ｎｏ）、手順をステップＳ４０１以前に戻す。
【００３４】
その際に、その警報復旧通知に付与されている検出時刻情報と、別に記憶装置１０２に記録されていた直前の警報復旧通知に付与されている検出時刻情報と、の比較を行い（ステップＳ４０４）、その時間差が、伝送装置のパス障害の復旧検出時間の最大遅延時間性能（Ｔｄ）以内に、収まっていれば（ステップＳ４０５：Ｎｏ）、最新の警報復旧通知を記憶装置１０２に記録するとともに（ステップＳ４０６）、手順をステップＳ４０１以前に戻して、警報通知の受信処理を繰り返す。
【００３５】
一方で、その時間差が、最大遅延時間性能（Ｔｄ）を超える場合（ステップＳ４０５：Ｙｅｓ）、それまで累積的に記録された警報復旧通知の検出部位情報から、パス情報を生成する（ステップＳ４０７）。
【００３６】
同一パスに係る警戒復旧通知は、短時間に集中して通知されるが、異なるパスに係る警戒復旧通知同士は、ある程度の時間差をもって通知される。そのため、その時間差が最大遅延時間性能（Ｔｄ）を超える場合は、異なるパスの警戒復旧通知を受信していると判断できる。その結果、それまでに累積的に記録された警報復旧通知の検出部位情報を、同一パスに係るものとしてパス情報を生成するわけである。
【００３７】
生成されたパス情報は、既知のパス情報であるかどうかの照合を行い、未知のパス情報である場合（ステップＳ４０８：Ｎｏ）、パス管理情報データベースの更新を行う（ステップＳ４０９）。一方で、未知のパス情報でない場合（ステップＳ４０８：Ｙｅｓ）、手順をステップＳ４１０以前に移行させる。
【００３８】
この後、それまで記録された警報復旧通知からの検出部位情報を全て消去し（ステップＳ４１０）、再び始めのループに復帰する。
【００３９】
［他の実施の形態］
本発明の他の実施例として、装置側からの実際の警報発生のみを契機にするのではなく、各装置において、設定済みのパスについてパス警報を模擬発生させることによっても同様のディカバリ処理を行うことができる。このメリットは、既に伝送装置に設定済みのパス情報をネットワーク管理システムに検知させることが可能となるものである。
【００４０】
なお、本発明は、装置のみならず方法及びプログラムによっても実現できる。
【産業上の利用可能性】
【００４１】
本発明は、ＷＤＭによる光通信に係るネットワークの管理に幅広く利用できる。
【符号の説明】
【００４２】
１００  ネットワーク管理システム
１０１  ＣＰＵ
１０２  記憶装置
１０３  通信処理部
２００  伝送装置
２０１  信号処理部
２０２  時刻情報部
２０３  警報通知部
３００  保守端末
【図１】
2010171866.tif 000003
【図２】
2010171866.tif 000004
【図３】
2010171866.tif 000005
【図４】
2010171866.tif 000006